(57)【要約】【課題】犬や猫などの愛玩動物の糞尿臭及び体臭の消臭に有効な及び又は健康増進・改善、疾病の予防・治療に有効である動物用飼料を提供する。又、愛玩動物の糞尿臭及び体臭消臭方法及び又は、健康増進・改善疾病の予防・治療方法を提供する。【解決手段】犬や猫等の愛玩動物の飼料に梅エキスを、飼料に対して０．０００１〜５％混ぜて摂食させる。梅エキスとしては、梅酢を水分２０〜３０％程度まで脱塩、濃縮したものが使い易い。これによって、愛玩動物の糞尿臭・体臭が効果的に消臭される。又、愛玩動物の健康増進・改善にも有効であり、疾病の予防・治療にも有効である。【選択図】  なし【特許請求の範囲】
【請求項１】
梅エキスを含有するペット用飼料
【請求項２】
梅エキスが梅酢又は梅ＢＸ７０である請求項１記載のペット用飼料。
【請求項３】
可溶性固形分含量が６０重量％〜８０重量％である濃縮した梅エキスを０．００１〜５重量％含有する請求項１又は２のペット用飼料。
【請求項４】
梅エキスを含有するペットの糞尿臭・体臭の消臭用及び又は健康増進・疾病の予防・改善用飼料
【請求項５】
梅エキスが梅酢又は梅ＢＸ７０である請求項４記載のペットの糞尿臭・体臭の消臭用及び又は健康増進・疾病の予防・改善用飼料
【請求項６】
請求項１、２又は３のペット用飼料を給与することを特徴とするペットの糞尿臭・体臭の消臭方法。
【請求項７】
請求項１、２又は３のペット用飼料を給与することを特徴とするペットの健康増進・改善及び又は疾病の予防・改善方法。
【発明の詳細な説明】
【技術分野】
【０００１】
この発明は、梅エキスを添加した犬、猫等のペット（愛玩動物）用の飼料に関する。この飼料をペットに与えることによって、ペットの健康が増進され、又、疾病の予防・改善が図られる。更に、ペットの糞尿臭が大幅に低下・消臭される。即ち、ペットの健康を増進、疾病を予防・改善し、又、ペット糞尿臭を消臭する飼料に関する。
【背景技術】
【０００２】
従来、犬や猫等の愛玩動物の栄養強化・健康増進用、肥満防止用方法乃至そのためのペット用飼料としては、乳酸菌を含有する飼料を給与して免疫を増強、抗炎症作用効果のあるペットフード（特開平７−１９４３１７号公報）、特定の乳酸菌パウダーとマイタケ粉末を混合した飼料（特開２０００‐１２５７７８公報）他多数のものが提案されているが、安全で且つ入手が容易な添加物によるペットの健康増進と免疫力強化、健康増進、疾病予防・改善の目的を充分に充たすものは未だ無いのが実情である。
【０００３】
又、犬、猫等のペットの糞尿及び体臭に基づく悪臭は、ペットを飼育しない地域住民だけでなく、飼育者にとっても大きな問題となっており、様々な対処策が取られているが抜本的な対策は見出されていない。
例えば、ある種の抗生物質を飼料と共に与え、動物体内における病原性細菌の生育を抑えると共に、好ましい微生物の生育を助長して、結果として悪臭を抑える方法、クランベリー果実を配合した飼料を給与する方法（特開平６−２８４８６５号公報）、水溶性２量体鉄塩を混入させることにより酸性排出物を中和して消臭する方法（特開平１１−２６６７９４号公報）、ローズマリー等とフェノール性化合物を酸化する酵素を配合した飼料を給与して消臭する方法（特開２０００−５０８１４公報）や、古くは、合成芳香剤を飼料に添加する方法、活性炭などの吸着材を用いる等各種の方法が知られているが、充分な効果を有するものではなく、問題点の改善に充分満足のいくものはない。
【特許文献１】特開平７−１９４３１７号公報
【特許文献２】特開２００２−３０６０８８
【特許文献３】特開２０００‐１２５７７８公報
【特許文献４】特開平６−２８４８６５号公報
【特許文献５】特開平１１−２６６７９４号公報
【特許文献６】特開２０００−５０８１４公報
【発明の開示】
【発明が解決しようとする課題】
【０００４】
犬、猫、ハムスター、モルモット、ウサギなどの愛玩動物の糞尿臭消臭に有効な及び又は健康増進・改善に有効である動物用飼料を提供する。又、愛玩動物の糞尿臭消臭方法及び又は、健康増進・改善、疾病の予防・改善方法に関する。
【課題を解決するための手段】
【０００５】
本発明者は、犬や猫等の愛玩動物の飼料に梅エキスを適量混ぜて摂食させたところ、ペットの飼育にとって最も厄介な問題点の一つである厭な糞尿臭が大幅に軽減されること、及び、梅ＢＸ７０を適量混ぜた飼料を摂食させることによって、ペットの下痢症状を起こす頻度が極めて顕著に低下し、又、風邪症状によるくしゃみをしていた犬や猫に本発明の飼料を給与することによって食欲が増進され、くしゃみ、乃至風邪症状が短時間で治癒されることを見出し、これらの知見に基づいて本発明を完成した。
【発明の効果】
【０００６】
即ち、本発明の飼料を給与することによって、犬や猫などの愛玩動物の糞尿臭が極めて顕著に消臭されるという特異な効果がある。又、本発明の飼料を給与することによって、愛玩動物の健康が増進・改善される。更には、風邪などの疾病に罹った愛玩動物に本発明の飼料を給与することによって、これらの疾病が治癒乃至軽減される効果がある。
【発明を実施するための最良の形態】
【０００７】
本発明において用いられる梅エキスは、生梅を圧搾して得た梅ジュースそのまま或いはその濃縮物でもよく、又、梅を塩漬けした後の梅酢、この梅酢を電気透析などにより脱塩したものを減圧又は常圧下に加温、濃縮したものでもよい。本発明においては、この脱塩した梅酢を、水分２０〜３０％程度にまで濃縮しエキス分を６０〜８０重量％含むものを「梅ＢＸ７０」と呼ぶ。梅酢濃縮物、「梅ＢＸ７０」の使用に当っては、これらを再度水で希釈し、適当な香味剤、呈味材と混和して与えても良い。
【０００８】
通常、エキス分を６０〜８０重量％含む梅ＢＸ７０の場合、飼料に対して０．００１〜１％、好ましくは、０．０１〜０．１％添加して摂食させる。梅エキスとして０．１〜５％添加して使用する。この場合、酸味が強すぎて嗜好性が落ちるときには、ペット用のだしジャコ、きびなご、小鯵等の小魚乾燥物、ビーフジャーキー、穀物乾燥処理物などのペットの嗜好物、呈味剤、香味剤の１種又は２種以上と混和することにより嗜好性を改善できる。又、さらには、梅酢又はその濃縮物を適宜賦形材、澱粉、穀類、食物繊維類などの飼料原料に添加したものを、ペット飼料とそのまま混和してもよく、或いは液状のものを市販のペット飼料にスプレーする方法でも良い。
【０００９】
本発明の梅エキス含有飼料は、犬、猫、ハムスター、ウサギ等の愛玩動物の何れにも適用可能である。特に、愛玩動物が風邪、下痢症状を呈している状態のときに本飼料を給与することによって、食欲が顕著に快復、増進することが多く見受けられ、短時日の内に病状が消失乃至軽減される。
又、本発明の梅エキス含有飼料を１日に最低１回与え、継続して摂食させることによって、ペットの健康の維持・増進が図られる。特に、ウサギ、ハムスターなどは本発明の梅エキス含有飼料を常用することによって、耳の病気などに罹り難いという特徴がある。
【００１０】
更に、本発明の梅エキス含有飼料を犬、猫、ハムスター、ウサギ等の愛玩動物に給与することによって、これら愛玩が排出する糞尿の悪臭、及び体臭が顕著に消去ないし低減される。
以下実施例を用いて本発明を一層詳細に説明するが、本発明はこれらに限定されるものではない。
【実施例１】
【００１１】
濃縮梅エキス（梅ＢＸ７０）の調製
原料生梅１０００Kｇと粉砕塩２００ｋｇとをＦＲＰ製丸タンクに交互に積み重ね木枠製の蓋をし、５０ｋｇの重石をし、負い塩５０ｋｇをして４週間漬け込みを行った。３日目から１日おきに、タンクの底に溜まった梅酢をポンプで循環して梅漬けを行い、３０日後に梅を取り除いて梅酢３６０ｋｇを得た。
【００１２】
得られた梅酢を濾過器にかけて、固形物を除去し、得られた清澄液３５０ｋｇを旭化成株式会社製電気透析装置「SV1」に６時間かけて脱塩、濃縮した。この濃縮液を、ホーロー鍋にとり、加熱しながら更に１昼夜濃縮して、脱塩濃縮梅酢３５ｋｇを得た。本発明において、本脱塩濃縮梅酢を「梅ＢＸ７０」と呼ぶ。梅ＢＸ７０の一般成分分析値を表１に、ミネラル及び主要アミノ酸の分析値を表２に示す。
【００１３】
【表１】
2005278404.tif 000002
【００１４】
【表２】
2005278404.tif 000003
【００１５】
市販ドッグフード飼料（日本ヒルズ・コルゲート株式会社、「サイエンス・ダイエット・グロース小粒〈幼犬・母犬用〉」に上に得られた「梅ＢＸ７０」を０．０１重量％（本発明飼料A）又は０．０５重量％（本発明飼料B）添加して、本発明飼料１トン宛を調製した。
【実施例２】
【００１６】
２〜３歳の健康なビーグル犬９頭のうち、３頭に本発明飼料（A）を、別の３頭については本発明飼料（B）を、１日当たり１０ｇ／体重ｋｇ量を３０日間連続給与した。残りの３頭については先の市販ドッグフードのみで給与した。次に、３０日間連続給与した後、更に７日間市販飼料を給与した。表３に示したように、本発明飼料を給与したときは、市販飼料に比べて増体量、増体率、及び飼料摂取量において有意な改善が認められた。
【００１７】
【表３】
2005278404.tif 000004
【実施例３】
【００１８】
本発明飼料（Ｃ）及び対照飼料（Ｄ）の調製
犬用小鯵の丸干し「小鯵」（株式会社アスク）を擂り鉢で荒砕きしたもの１００ｇに、「梅ＢＸ７０」を水で薄めて１％溶液とした液１０ｍｌをスプレーしてかき混ぜ、封緘して小鯵顆粒１００ｇを調製した。市販飼料「子犬用アイムス・パピー」（アイムスジャパン株式会社）１００ｇに対し、上に調製した小鯵顆粒２ｇを加えて混合して本発明飼料（Ｃ）（１００g中梅ＢＸ７０を０．０２重量％含む）と、ＢＸ７０薄め液を添加しない「小鯵」の擂り潰しを用いて対照飼料（Ｄ）とを調製した。
【００１９】
平成１５年１２月頃、和歌山県内の小型犬を中心に繁殖販売しているＡ犬舎にて、ケンネルコフが流行していた。この時期、ミニチュアダックスフンド種の仔犬が１胎６頭生まれ、これを試験に供した。生後４０日、母乳から離乳食に切り替えると同時に、６頭のうち３頭（試験群）には、１日の合計量が体重ｋｇあたり１０ｇ量となるよう、本発明飼料（Ｃ）を離乳食として与え、残る３頭（対照群）には梅ＢＸ７０を含まない対照飼料（Ｄ）を与えて、近接した二つのサークル内でそれぞれの群を飼育し、両群を観察した。
生後５５日目に、全犬に対して７種混合ワクチン（販売：共立商事株式会社）「ドヒバック７」を接種した。さらに生後９６日目に、同じワクチンを全犬に対して接種しておいた。
【００２０】
その結果、予防接種の約３週間後、生後１２０日目ごろから対照群の内２頭が呼吸時に咽頭部から異音を発生させながら、むせ返すしぐさを示すようになり、数日後には典型的なケンネルコフ様の乾いた咳を繰り返すようになった。この時点で、対照群には薬物治療を開始すると同時に、飼料を対照飼料（Ｄ）から本発明飼料（Ｃ）に変更した。その結果、治療を開始してから３０日後には対照群の全ての犬が完治したと診断された。一方、試験群の犬は全頭健康を保ち、潜伏期間といわれる、対照群の２頭が咳をし始めた約１０日後も健康であったことから、たとえ二次感染が起こったとしても、ケンネルコフに対して抵抗性を示したと判断される。
【実施例４】
【００２１】
試験区においては、実施例１で調製した本発明飼料（Ａ）を一日当たり１０ｇ／供試犬体重１ｋｇを給与した。対照試験区には本発明の梅ＢＸ７０無添加の市販ドッグフードをそのまま１０ｇ／供試犬体重１ｋｇ給与した。両試験区とも、ビーグル犬３頭を１群とし、１クール７日の反転給与試験を３クール実施した。結果を表４に示す。
表４の試験結果は、試験７日間の平均消臭効果を、パネラー４名により、通常の飼育場所において臭気度を判定、６段階臭気強度表示法により表示したものである。
【００２２】
【表４】
2005278404.tif 000005
【実施例５】
【００２３】
実施例１で得た「梅ＢＸ７０」１ｋｇを２０リットルの水で薄めて飼料用組成物（Ｅ）２２．５ｋｇを調製した。本発明飼料用組成物（Ｅ）の栄養成分組成を表５に示した。
【００２４】
【表５】
2005278404.tif 000006
【００２５】
本発明飼料用組成物（Ｅ）をプラスチック製スプレー容器に充填し、これを市販ペットフード「ニッパイ  ラビットフード」（日本配合飼料株式会社）に「梅ＢＸ７０」として飼料重量当り０．０２％量、０．０４％となるようにスプレーして添加、混合し、３羽宛９羽のウサギに給与して１ヶ月間飼育した。１区のグループは「ＢＸ７０」無添加区、２区のグループには、０.０２％、３区のグループには０．０４％の「ＢＸ７０」を含有する本発明飼料用組成物（Ｅ）を添加したものである。給与開始後１４日目の平均消臭化度を、パネラー５名により通常飼育場所において判定させ、その結果を６段階臭気強度表示法により表６に表示した。
【００２６】
【表６】
2005278404.tif 000007